(57)【特許請求の範囲】
【請求項１】
同一の第１のエンボスパターンを有する対のペーパーシートを、各ペーパーシートのエンボス凸面同士が近接して向い合うように対面し、この対面された対のペーパーシートのいずれか一方に、第１のエンボスパターンの１部上に重ねてこれと異なりかつエンボス深さが第１のエンボスパターンのそれより大きい第２のエンボス加工を施して各ペーパーシートのエンボス凸面と第２のエンボスパターンとが重畳してこの重畳部で一体化した構成を有することを特徴とする２プライの衛生紙製品。
【請求項２】
第１のエンボスパターンがドット状の細かい凹凸模様を形成している請求項１記載の衛生紙製品。
【請求項３】
第１のエンボスパターンがペーパーシートのバックグラウンドパターンを形成し、第２のエンボスパターンが第１のエンボスパターンによるバックグラウンドパターン面に図柄模様を形成している請求項１または２記載の衛生紙製品。
【請求項４】
第１のエンボスパターンのエンボス個数の密度が３０〜１００個／ｃｍ２でエンボス深さが０．２〜２．０ｍｍである請求項１から３までのいずれか１項記載の衛生紙製品。
【請求項５】
第２のエンボスパターンのエンボス個数の密度は第１のエンボスパターンのエンボス個数の密度より小さく、第２のエンボスパターンのエンボス深さは第１のエンボスパターンのエンボス深さより大きい請求項４記載の衛生紙製品。
【請求項６】
１プライのペーパーシート（原紙）の縦強度（ＭＤＴ）が７５〜２００ｇｆ／１５ｍｍ、横強度（ＣＤＴ）が２０〜７０ｇｆ／１５ｍｍであり、縦伸び（ＭＤＳ）が１０〜３０％（測定はＪＩＳ  ｐ８１１３に準拠）である請求項１から５までのいずれか１項記載の衛生紙製品を使用したトイレットペーパーまたはフェイシャルティシュ。
【請求項７】
１プライのペーパーシート（原紙）の縦強度（ＭＤＴ）が２００〜７００ｇｆ／１５ｍｍ、横強度（ＣＤＴ）が５０〜２００ｇｆ／１５ｍｍであり、縦伸び（ＭＤＳ）が５〜３０％（測定はＪＩＳ  ｐ８１１３に準拠）である請求項１から５までのいずれか１項記載の衛生紙製品を使用したペーパータオルまたはナプキン。
【発明の詳細な説明】
【０００１】
【発明の属する技術分野】
本発明はトイレットペーパー、ペーパータオル、ティシュペーパー等の２プライ（２ply）以上の衛生紙製品に関する。
【０００２】
【従来の技術】
トイレットペーパーやキッチンタオル等の衛生紙製品には、風合い、拭き取りやすさ、吸液性など要求される特性に応じて２ply以上の積層加工やエンボス加工が施されている。
昨今では、さらに外観上の美しさ（美粧性）に対する要求が高くなっており、これらを満たす紙製品の開発が望まれている。
その際に多段階のエンボス掛けや貼り合わせ等のより複雑な工程では、シートの破断や裂けが発生して満足できる製品が得られないことがある。また、シートの破断や裂けが起きないような安定操業を重視するとエンボスのパターンが不鮮明となり、また充分なシート特性が得られないこととなる。
さらに従来製品においては、プライ剥がれ防止のために接着剤（グルー）が使用されることがあるが、広い面積あるいは多量の塗布が、柔軟性や嵩高性などを損なう一因となっていた。
【０００３】
またダブルエンボス加工の衛生紙製品としてKaysersberg US 6106928が知られており、これは密度が最大０．５個／ｃｍ２線幅０．１〜２ｍｍの第１突起、３０個／ｃｍ２以上の第２突起、突起面積比率（第２突起面積／第１突起面積）が５０以上または１００以上、第１、２突起深さの差が０．３ｍｍ、第２突起の高さが０．５ｍｍ以下からなっている。
【０００４】
【発明が解決しようとする課題】
本発明はこれら従来の２プライ以上の衛生紙製品の問題点を解消し、１）崇高性、２）シート表面性、柔軟性およびクッション性等の改善による肌触り性、および、３）美粧性の向上を目的としてなされたものである。
【０００５】
【課題を解決するための手段】
本発明の第１の発明は、同一のエンボスパターンを有する対のペーパーシートを、各ペーパーシートのエンボス凸面同士が近接して向い合うように接合して一体化した構成を有することを特徴とする２プライ以上の衛生紙製品に関する。
上記の実施態様として、対のぺーパーシートをエッジエンボスまたはグルーその他の貼り合せにより一体化したものが含まれる。
【０００６】
本発明の第２の発明は、同一の第１のエンボスパターンを有する対のペーパーシートを、各ペーパーシートのエンボス凸面同士が近接して向い合うように対面し、この対面された対のペーパーシートのいずれか一方に、第１のエンボスパターンと異なりかつエンボス深さが大きい第２のエンボスパターンを施して一体化した構成を有することを特徴とする２プライ以上の衛生紙製品に関するものである。
【０００７】
本発明の第３の発明は、同一の第１のエンボスパターンを有する対のペーパーシートを、各ペーパーシートのエンボス凸面同士が近接して向い合うように対面し、この対面された対のペーパーシートのいずれか一方に、第１のエンボスと異なりかつエンボス深さが大きい第２のエンボスパターンを第１のエンボスパターンの近接して向い合った凸面同士の上を通過するように施したことを特徴とする２プライ以上の衛生紙製品に関する。
上記第２および第３の発明の実施態様として、第１のエンボスパターンがドット状の細かい凹凸模様を形成しているもの、および第１のエンボスパターンがペーパーシートのバックグラウンドパターンを形成し、第２のエンボスパターンが第１のエンボスパターンによるバックグラウンドパターン面に図柄模様を形成しているものが含まれる。
【０００８】
更に又上記の第２および第３の発明の実施態様として、第１のエンボスパターンのエンボス個数の密度が３０〜１００個／ｃｍ２でエンボス深さが０．２〜２．０ｍｍであるもの、および第２のエンボスパターンのエンボス個数の密度は第１のエンボスパターンのエンボス個数の密度より小さく、第２のエンボスパターンのエンボス深さは第１のエンボスパターンのエンボス深さより大きいものが含まれる。
第２のエンボスパターンのエンボス深さを第１エンボスのエンボス深さより大きいものとすることにより、第２パターンがより鮮明となり美粧性に寄与する。
【０００９】
本発明で用いられる原紙の物性としては、（１）トイレットペーパー、フェイシャルティシュの場合には１プライのペーパーシート（原紙）の縦強度（ＭＤＴ）が７５〜２００ｇｆ／１５ｍｍ、横強度（ＣＤＴ）が２０〜７０ｇｆ／１５ｍｍであり、縦伸び（ＭＤＳ）が１０〜３０％（測定はＪＩＳ  ｐ８１１３に準拠）であることが好ましい。また（２）その他の紙製品（ペーパータオル、ナプキン）の場合には１プライのペーパーシート（原紙）の縦強度（ＭＤＴ）が２００〜７００ｇｆ／１５ｍｍ、横強度（ＣＤＴ）が５０〜２００ｇｆ／１５ｍｍであり、縦伸び（ＭＤＳ）が５〜３０％（測定はＪＩＳ  ｐ８１１３に準拠）であることが好ましい。
原紙強度が、これらの下限値以下ではシートの破断等が起き、上限値以上では風合いが悪化する。またシートの伸びがこれらの下限値以下ではシートの破断等が起き、上限値以上では、シートにしわ等が発生して操業性が悪化する。
【００１０】
本発明のエンボス加工および／または２段階のエンボス加工が従来のダブルエンボス加工と異なる点は対のペーパーシートに夫々同一のベーシックな密で浅いエンボスパターンを持たせ、対となるべき各プライの表裏を互いに反対に対面させ、それらのエンボス凸面同士が近接して向い合うように接合し各プライをエッジエンボス又はグルー等の貼り合せによるか或いは図柄模様形成用の疎で深い第２のエンボス加工を施して一体化する構成を有していることである。
【００１１】
【実施例】
以下に実施例を示すが、本発明はこれによって限定されるものではない。
【００１２】
［実施例１］
図１に示すペーパーシート（１）および（２）には３０〜１００個／ｃｍ２のエンボス密度および０．２〜２．０ｍｍのエンボス深さを有するベーシックエンボス（第１エンボス）（３）が夫々施されてあるが、シート（１）（２）は図２に示すように表裏逆に対面しており、エンボス凸面（ａ）同士が近接して向い合っており、従ってエンボス凹面（ｂ）同士も向い合っている。
このシート（１）のベーシックエンボスパターン（３）の１部上に重ねて図柄模様形成用の第２のエンボスパターン（ベーシックエンボスよりエンボス密度が疎でエンボス深さの深いもの）（４）が加工され、シート（１）（２）のベーシックエンボス凸面（ａ）と第２のエンボスパターン（４）とが重畳してシート（１）（２）はこの重畳部（ｃ）で接合一体化される。
【００１３】
[実施例２]
各種原紙を図３にレイアウトを示した１対の第１エンボスロールと押えロールからなる１段階目と、第２エンボスロールとシート支持用ロール（エンボスロールと軽微に加圧）からなる２段階目のエンボス装置により２段階のエンボス加工を行った。
【００１４】
[実施例３]
図４〜図９に示す例１〜例６は図１及び図２に示す２段階エンボス加工を適用してベーシックエンボス（第１エンボス）パターン（３）と図柄模様形成用の第２エンボスパターン（４）を施して種々の図柄模様を形成した２プライ紙製品を例示したものである。
尚第２エンボスパターン（４）は図柄模様部および図柄模様区画部を１段階もしくは多段階でエンボス加工することも可能である。
【００１５】
［実施例４］
トイレットペーパーのエンボスの評価のため原紙の横強度、縦強度、横伸びと、この原紙を用いて本発明の２段階エンボスパターンを施した２プライ紙製品（トイレットペーパー）のハンドフィール（hand feel）および操業性との関係を検討し、表１の如き結果を得た。
【００１６】
【表１】
0004180263.tif 000002
【００１７】
またその結果を図１０および図１１に示した。強度及び伸びについて所定の範囲（表中：●）のものは、風合い、操業性ともに良好であった。一方■についてはシートの破れがあり、また▲についてはシートの風合いの悪化や操業中にしわの発生があり、×についても風合いや使用感の悪化が認められた。
これよりエンボス深さ０．２〜２．０ｍｍ、エンボス個数密度３０〜１００の範囲およびＭＤＴ（縦強度）：７５〜２００ｇｆ／１５ｍｍ、ＣＤＴ（横強度）：２０〜７０ｇｆ／１５ｍｍ、ＭＤＳ（縦伸び）：１０〜３０％が夫々好ましいことが判った。
【００１８】
［実施例５］
ペーパータオルのエンボスの評価のため原紙の横強度、縦強度、横伸びとこの原紙を用いて本発明の２段階エンボスパターンを施した２プライ紙製品（ペーパータオル）の拭き取り易さおよび操業性との関係を検討し、表２の如き結果を得た。
【００１９】
【表２】
0004180263.tif 000003
またその結果を図１２および図１３に示した。これよりエンボス深さ０．２〜２．０ｍｍ、エンボス個数密度３０〜１００の範囲およびＭＴＤ（紙強度）２００〜７００ｇｆ／１５ｍｍ、ＣＤＴ（横強度）：５０〜２００ｇｆ／１５ｍｍ、ＭＤＳ（縦伸び）：５〜３０％が夫々好ましいことが判った。
【００２０】
【発明の効果】
本発明によれば２プライ以上の衛生紙において、
１）崇高性
２）肌触り性（シート表面性、柔軟性、クッション性）
３）美粧性
の改善、向上効果が顕著に認められた。
【図面の簡単な説明】
【図１】    本発明の実施例１の説明図。
【図２】    同上の部分詳細説明図。
【図３】    本発明の実施例２で用いたエンボスロールレイアウト図。
【図４】    本発明の実施例３における例１のエンボスパターン図。
【図５】    同上の例２のエンボスパターン図。
【図６】    同上の例３のエンボスパターン図。
【図７】    同上の例４のエンボスパターン図。
【図８】  同上の例５のエンボスパターン図。
【図９】  同上の例６のエンボスパターン図。
【図１０】  本発明の実施例４で得られたトイレットペーパーのエンボス評価（縦横強度）を示した図表。
【図１１】  同上のエンボス評価（縦横伸び）を示した図表。
【図１２】  本発明の実施例５で得られたペーパータオルのエンボス評価（縦横強度）を示した図表。
【図１３】  同上のエンボス評価（縦横伸び）を示した図表。
【符号の説明】
１、２……１プライペーパーシート（原紙）
３……ベーシックエンボス（第１エンボス）パターン
４……第２エンボスパターン
ａ……第１エンボスパターンの凸面
ｂ……同上の凹面
ｃ……第１エンボスパターンと第２エンボスパターンの重疊部
５……２プライ紙製品
【図１】
0004180263.tif 000004
【図２】
0004180263.tif 000005
【図３】
0004180263.tif 000006
【図４】
0004180263.tif 000007
【図５】
0004180263.tif 000008
【図６】
0004180263.tif 000009
【図７】
0004180263.tif 000010
【図８】
0004180263.tif 000011
【図９】
0004180263.tif 000012
【図１０】
0004180263.tif 000013
【図１１】
0004180263.tif 000014
【図１２】
0004180263.tif 000015
【図１３】
0004180263.tif 000016